(57)【特許請求の範囲】
【請求項１】
互いに直交する長さ方向、幅方向及び厚さ方向と、それぞれ前記厚さ方向の一方側及び他方側に位置する第１面及び第２面とを有し、
前記第１面を形成する液透過性のトップシートと、前記第２面を形成する液不透過性のバックシートと、前記トップシート及び前記バックシートの間に配置された液吸収性の吸収体と、前記トップシートに形成された複数の液透過孔とを備える吸収性物品であって、
前記吸収性物品は、前記吸収体が配置された吸収体配置部と、それぞれ前記吸収体配置部の前記幅方向の一方側及び他方側に位置する第１フラップ部及び第２フラップ部と、それぞれ前記第１フラップ部及び前記第２フラップ部から前記幅方向の外側に延在する第１ウイング部及び第２ウイング部とを有し、
前記第１面は、前記吸収体配置部の表面に相当する第１領域と、前記第１ウイング部の表面に相当する第２領域と、前記第２ウイング部の表面に相当する第３領域と、前記第１領域及び前記第２領域の間に位置する第４領域と、前記第１領域及び前記第３領域の間に位置する第５領域とを有し、
前記複数の液透過孔は、それぞれ、前記第１面に形成された開口部を有し、
前記第２領域及び前記第３領域の開口率は、それぞれ、前記第４領域及び前記第５領域の開口率よりも小さく、
前記トップシートは、前記長さ方向に延在する前記第１面の中央領域を形成する第１シート部材と、前記中央領域の前記幅方向の一方側に隣接する前記第１面の第１隣接領域を形成する第２シート部材と、前記中央領域の前記幅方向の他方側に隣接する前記第１面の第２隣接領域を形成する第３シート部材と、によって形成されており、
前記第２シート部材と前記第３シート部材は、それぞれ前記第１シート部材の前記幅方向の両側部分において前記厚さ方向の第１面側から重なり、シール部を介して前記第１シート部材と接合されている、前記吸収性物品。
【請求項２】
前記液透過孔は、前記第１ウイング部及び／又は前記第２ウイング部の自由端部の少なくとも一部に形成されていない、請求項１に記載の吸収性物品。
【請求項３】
前記吸収性物品は、前記第２面のうち前記第１ウイング部の表面に相当する領域内に設けられた第１粘着部と、前記第２面のうち前記第２ウイング部の表面に相当する領域内に設けられた第２粘着部とを有し、
前記第１面は、前記厚さ方向において前記第１粘着部と重なる第１重なり領域と、前記厚さ方向において前記第２粘着部と重なる第２重なり領域とを有し、
前記第２領域は、前記第４領域の近位に位置する近位部分と、前記第４領域の遠位に位置する遠位部分とを有し、
前記第３領域は、前記第５領域の近位に位置する近位部分と、前記第５領域の遠位に位置する遠位部分とを有し、
前記第２領域に形成された前記開口部は、前記第２領域の近位部分には存在するが、前記第２領域の遠位部分には存在せず、
前記第３領域に形成された前記開口部は、前記第３領域の近位部分には存在するが、前記第３領域の遠位部分には存在しない、請求項１又は２に記載の吸収性物品。
【請求項４】
前記吸収性物品は、前記トップシートのうち前記第１ウイング部を形成する部分及び前記バックシートのうち前記第１ウイング部を形成する部分の間に配置された第１液吸収性シートと、前記トップシートのうち前記第２ウイング部を形成する部分及び前記バックシートのうち前記第２ウイング部を形成する部分の間に配置された第２液吸収性シートとを有し、
前記第１液吸収性シートは、前記第２領域の近位部分及び遠位部分を区画する仮想直線をまたいで配置されており、
前記第２液吸収性シートは、前記第３領域の近位部分及び遠位部分を区画する仮想直線をまたいで配置されている、請求項３に記載の吸収性物品。
【請求項５】
前記液透過孔は、前記トップシートに形成された凹部であり、
前記凹部を形成する内周面の一部は、前記トップシートを貫通するスリットによって、前記第１面から分断されている、請求項１〜４のいずれか一項に記載の吸収性物品。
【請求項６】
前記スリットは、前記長さ方向に延在している、請求項５に記載の吸収性物品。
【発明の詳細な説明】
【技術分野】
【０００１】
本発明は、吸収性物品に関する。
【背景技術】
【０００２】
特許文献１には、液透過性のトップシートと、液不透過性のバックシートと、トップシート及びバックシートの間に配置された液吸収性の吸収体と、トップシートに形成された孔部とを備える吸収性物品が記載されている。
【先行技術文献】
【特許文献】
【０００３】
【特許文献１】特開平１１−１９７１７９号公報
【発明の概要】
【発明が解決しようとする課題】
【０００４】
特許文献１に記載の吸収性物品において、トップシートに形成された孔部は、トップシートのうち、本体部を形成する部分には形成されているが、本体部から延出するウイング部を形成する部分には形成されていない。
【０００５】
吸収性物品が着用される際、本体部は下着のクロッチ部の肌当接面に設置され、ウイング部は下着のクロッチ部の非肌当接面側に折り返される。ウイング部が折り返された状態において着用者から液状排泄物が排泄されると、液状排泄物は、本体部の表面から、ウイング部の表面に向けて流れ出し、吸収性物品の外部へ漏出しやすい。特許文献１に記載の吸収性物品では、かかる液状排泄物の漏出を防止することができない。
【０００６】
そこで、本発明は、吸収性物品の外部への液体の漏出を防止することができる吸収性物品を提供することを目的とする。
【課題を解決するための手段】
【０００７】
上記課題を解決するために、本発明は、
互いに直交する長さ方向、幅方向及び厚さ方向と、それぞれ前記厚さ方向の一方側及び他方側に位置する第１面及び第２面とを有し、
前記第１面を形成する液透過性のトップシートと、前記第２面を形成する液不透過性のバックシートと、前記トップシート及び前記バックシートの間に配置された液吸収性の吸収体と、前記トップシートに形成された複数の液透過孔とを備える吸収性物品であって、
前記吸収性物品は、前記吸収体が配置された吸収体配置部と、それぞれ前記吸収体配置部の前記幅方向の一方側及び他方側に位置する第１フラップ部及び第２フラップ部と、それぞれ前記第１フラップ部及び前記第２フラップ部から前記幅方向の外側に延在する第１ウイング部及び第２ウイング部とを有し、
前記第１面は、前記吸収体配置部の表面に相当する第１領域と、前記第１ウイング部の表面に相当する第２領域と、前記第２ウイング部の表面に相当する第３領域と、前記第１領域及び前記第２領域の間に位置する第４領域と、前記第１領域及び前記第３領域の間に位置する第５領域とを有し、
前記複数の液透過孔は、それぞれ、前記第１面に形成された開口部を有し、
前記第２領域及び前記第３領域の開口率は、それぞれ、前記第４領域及び前記第５領域の開口率よりも小さい、前記吸収性物品を提供する。
【発明の効果】
【０００８】
本発明によれば、吸収性物品の外部への液体の漏出を防止することができる吸収性物品が提供される。
【図面の簡単な説明】
【０００９】
【図１】図１は、本発明の第１実施形態に係る吸収性物品の平面図である。
【図２】図２は、図１のＡ線断面図である。
【図３】図３（Ａ）は、図１に示される吸収性物品のトップシートに形成された液透過孔の斜視図であり、図３（Ｂ）は、図３（Ａ）のＢ−Ｂ線断面図であり、図３（Ｃ）は、図３（Ａ）のＣ−Ｃ線断面図である。
【図４】図４は、図１に示される吸収性物品の第１面（トップシート側の表面）が有する第１領域〜第５領域を説明するための図である。
【図５】図５（Ａ）及び（Ｂ）は、粘着部が複数条の粘着剤ラインによって形成される一実施形態を示す平面図である。
【図６】図６は、本発明の第２実施形態に係る吸収性物品の平面図である。
【図７】図７は、図６のＡ−Ａ線断面図である。
【図８】図８は、トップシートのギア延伸に使用されるギア延伸ロールを説明するための図である。
【発明を実施するための形態】
【００１０】
以下、本発明の吸収性物品について詳細に説明する。なお、本明細書において、長さ方向の両側のうち、吸収性物品の中心を通って幅方向に延在する仮想中心線の近位側を「長さ方向の内側」と表現し、遠位側を「長さ方向の外側」と表現する場合がある。また、幅方向の両側のうち、吸収性物品の中心を通って長さ方向に延在する仮想中心線の近位側を「幅方向の内側」と表現し、遠位側を「幅方向の外側」と表現する場合がある。また、厚さ方向の両側のうち、着用者の肌側に位置する厚さ方向の一方側を「肌側」といい、着用者の着衣側に位置する厚さ方向の他方側を「着衣側」又は「下着側」という場合がある。
【００１１】
本発明の一態様（以下「態様１」という）に係る吸収性物品は、
互いに直交する長さ方向、幅方向及び厚さ方向と、それぞれ前記厚さ方向の一方側及び他方側に位置する第１面及び第２面とを有し、
前記第１面を形成する液透過性のトップシートと、前記第２面を形成する液不透過性のバックシートと、前記トップシート及び前記バックシートの間に配置された液吸収性の吸収体と、前記トップシートに形成された複数の液透過孔とを備える吸収性物品であって、
前記吸収性物品は、前記吸収体が配置された吸収体配置部と、それぞれ前記吸収体配置部の前記幅方向の一方側及び他方側に位置する第１フラップ部及び第２フラップ部と、それぞれ前記第１フラップ部及び前記第２フラップ部から前記幅方向の外側に延在する第１ウイング部及び第２ウイング部とを有し、
前記第１面は、前記吸収体配置部の表面に相当する第１領域と、前記第１ウイング部の表面に相当する第２領域と、前記第２ウイング部の表面に相当する第３領域と、前記第１領域及び前記第２領域の間に位置する第４領域と、前記第１領域及び前記第３領域の間に位置する第５領域とを有し、
前記複数の液透過孔は、それぞれ、前記第１面に形成された開口部を有し、
前記第２領域及び前記第３領域の開口率は、それぞれ、前記第４領域及び前記第５領域の開口率よりも小さい、前記吸収性物品である。
【００１２】
態様１に係る吸収性物品において、第１領域及び第２領域の間に位置する第４領域は、第１フラップ部の表面のうち、第１フラップ部の表面及び第１ウイング部の表面を区画する第１境界線と、第１境界線の一方の端点を通って幅方向に延在する第１仮想直線と、第１境界線の他方の端点を通って幅方向に延在する第２仮想直線と、第１領域の輪郭線上の点のうち最も第２領域側に位置する点を通って長さ方向に延在する第３仮想直線とによって囲まれた領域である。第１境界線は、第１フラップ部を平坦に保持しつつ、第１ウイング部を折り曲げることが可能な折り曲げ線のうち、折り曲げられた第１ウイング部の表面積が最大化である折り曲げ線に相当し、この折り曲げ線と吸収性物品の輪郭線との交点が第１境界線の両端点に相当する。
【００１３】
態様１に係る吸収性物品において、第１領域及び第３領域の間に位置する第５領域は、第２フラップ部の表面のうち、第２フラップ部の表面及び第２ウイング部の表面を区画する第２境界線と、第２境界線の一方の端点を通って幅方向に延在する第４仮想直線と、第２境界線の他方の端点を通って幅方向に延在する第５仮想直線と、第１領域の輪郭線上の点のうち最も第３領域側に位置する点を通って長さ方向に延在する第６仮想直線とによって囲まれた部分を意味する。第２境界線は、第２フラップ部を平坦に保持しつつ、第２ウイング部を折り曲げることが可能な折り曲げ線のうち、折り曲げられた第２ウイング部の表面積が最大化である折り曲げ線に相当し、この折り曲げ線と吸収性物品の輪郭線との交点が第２境界線の両端点に相当する。
【００１４】
態様１に係る吸収性物品が着用される際、吸収体配置部、第１フラップ部及び第２フラップ部によって構成される本体部は下着のクロッチ部の肌当接面に設置され、第１ウイング部及び第２ウイング部は下着のクロッチ部の非肌当接面側（肌当接面の反対側）に折り返される。このため、着用者から排泄された液状排泄物は、吸収体配置部の表面に相当する第１領域から、第１ウイング部の表面に相当する第２領域及び第２ウイング部の表面に相当する第３領域に向けて流れ出しやすい。第２領域に向けて流れ出した液状排泄物は、第１フラップ部の表面のうち第１領域及び第２領域の間に位置する部分に相当する第４領域を通り、第２領域に到達する。第３領域に向けて流れ出した液状排泄物は、第２フラップ部の表面のうち第１領域及び第３領域の間に位置する部分に相当する第５領域を通り、第３領域に到達する。液状排泄物は、第４領域及び第５領域を通る際、第４領域及び第５領域に存在する液透過孔の開口部で捕捉され、トップシートを透過する。第４領域及び第５領域で捕捉されず、第２領域及び第３領域に到達した液状排泄物は、第２領域及び第３領域に存在する液透過孔の開口部で捕捉され、トップシートを透過する。したがって、態様１に係る吸収性物品は、第２領域及び第３領域に向けて流れ出した液状排泄物の、吸収性物品の外部へ漏出を防止することができる。
【００１５】
態様１に係る吸収性物品において、第２領域及び第３領域に向けて流れ出した液状排泄物は、第２領域及び第３領域に到達する前に、第４領域及び第５領域に存在する液透過孔の開口部で捕捉される。したがって、第２領域及び第３領域に到達する液状排泄物は、第４領域及び第５領域に到達する液状排泄物よりも少ない。このため、第２領域の開口率が第４領域の開口率よりも小さく、第３領域の開口率が第５領域の開口率よりも小さくても、態様１に係る吸収性物品は、液状排泄物の漏出防止効果を発揮することができる。
【００１６】
トップシートを透過した液状排泄物は、トップシート及びバックシートの間を拡散し、第２領域及び第３領域から滲み出すおそれがある。第１ウイング部及び第２ウイング部が下着のクロッチ部の非肌当接面側に折り返されているとき、第２領域及び第３領域は着用者の衣服側に位置するため、第２領域及び第３領域から液状排泄物が滲み出すと、滲み出した液状排泄物によって着用者の衣服が汚れるおそれがある。この点、態様１に係る吸収性物品では、第２領域の開口率が第４領域の開口率よりも小さく、第３領域の開口率が第５領域の開口率よりも小さいので、第２領域及び第３領域から滲み出した液状排泄物によって着用者の衣服が汚れにくい。
【００１７】
態様１に係る吸収性物品では、第２領域の開口率が第４領域の開口率よりも小さく、第３領域の開口率が第５領域の開口率よりも小さいので、トップシートのうち第１ウイング部及び第２ウイング部を形成する部分の強度の低下、及び、これに起因する第１ウイング部及び第２ウイング部の下着への装着性の低下を防止することができる。
【００１８】
態様１に係る吸収性物品の好ましい一態様（以下「態様２」という）において、前記液透過孔は、前記第１ウイング部及び／又は前記第２ウイング部の自由端部の少なくとも一部に形成されていない。液透過孔は、第１ウイング部及び／又は第２ウイング部の自由端部のうち、少なくとも、第１ウイング部及び／又は第２ウイング部の幅方向の外側の端部に形成されていないことが好ましい。態様２に係る吸収性物品では、トップシートを透過した液状排泄物がトップシート及びバックシートの間を拡散しても、第１ウイング部及び／又は第２ウイング部の自由端部から液状排泄物が滲み出しにくい。また、液透過孔が第１ウイング部及び／又は第２ウイング部の自由端部の少なくとも一部に形成されていないので、所定の形状を保持した状態で、原反からトップシートを切り出しやすい。
【００１９】
態様１又は態様２に係る吸収性物品の好ましい一態様（以下「態様３」という）において、
前記吸収性物品は、前記第２面のうち前記第１ウイング部の表面に相当する領域内に設けられた第１粘着部と、前記第２面のうち前記第２ウイング部の表面に相当する領域内に設けられた第２粘着部とを有し、
前記第１面は、前記厚さ方向において前記第１粘着部と重なる第１重なり領域と、前記厚さ方向において前記第２粘着部と重なる第２重なり領域とを有し、
前記第２領域は、前記第４領域の近位に位置する近位部分と、前記第４領域の遠位に位置する遠位部分とを有し、
前記第３領域は、前記第５領域の近位に位置する近位部分と、前記第５領域の遠位に位置する遠位部分とを有し、
前記第２領域に形成された前記開口部は、前記第２領域の近位部分には存在するが、前記第２領域の遠位部分には存在せず、
前記第３領域に形成された前記開口部は、前記第３領域の近位部分には存在するが、前記第３領域の遠位部分には存在しない。
【００２０】
態様３に係る吸収性物品において、第２領域は、第１重なり領域の輪郭線上の点のうち最も第４領域側に位置する点を通って長さ方向に延在する第７仮想直線によって区画される２つの部分である、第４領域の近位に位置する近位部分と、第４領域の遠位に位置する遠位部分とを有し、第３領域は、第２重なり領域の輪郭線上の点のうち最も第５領域側に位置する点を通って長さ方向に延在する第８仮想直線よって区画される２つの部分である、第５領域の近位に位置する近位部分と、第５領域の遠位に位置する遠位部分とを有する。
【００２１】
態様３に係る吸収性物品において、第２領域の近位部分及び遠位部分を区画する第７仮想直線と交差する開口部は、第２領域の近位部分に存在する開口部に該当しない。同様に、第３領域の近位部分及び遠位部分を区画する第８仮想直線と交差する開口部は、第３領域の近位部分に存在する開口部に該当しない。
【００２２】
態様３に係る吸収性物品において、第１ウイング部及び第２ウイング部が下着のクロッチ部の非肌当接面側に折り返される際、第７仮想直線及び第８仮想直線が折り曲げ線となりやすい。第１ウイング部及び第２ウイング部が第７仮想直線及び第８仮想直線で折り返されると、第２領域の遠位部分及び第３領域の遠位部分が着用者の衣類側に位置するが、第２領域の遠位部分及び第３領域の遠位部分には液透過孔の開口部が存在しない。したがって、トップシートを透過した液状排泄物がトップシート及びバックシートの間を拡散しても、第２領域の遠位部分及び第３領域の遠位部分から液状排泄物が滲み出しにくい。
【００２３】
態様３に係る吸収性物品において、第２領域の遠位部分及び第３領域の遠位部分には液透過孔の開口部が存在しないので、トップシートのうち第１ウイング部及び第２ウイング部を形成する部分の強度が十分なものとなる。したがって、第１ウイング部及び第２ウイング部が第１粘着部及び第２粘着部によって下着のクロッチ部の非肌当接面に固定されたとき、第１粘着部及び第２粘着部による吸収体物品のズレ防止効果が発揮されやすい。
【００２４】
態様３に係る吸収性物品の好ましい一態様（以下「態様４」という）において、
前記吸収性物品は、前記トップシートのうち前記第１ウイング部を形成する部分及び前記バックシートのうち前記第１ウイング部を形成する部分の間に配置された第１液吸収性シートと、前記トップシートのうち前記第２ウイング部を形成する部分及び前記バックシートのうち前記第２ウイング部を形成する部分の間に配置された第２液吸収性シートとを有し、
前記第１液吸収性シートは、前記第２領域の近位部分及び遠位部分を区画する仮想直線をまたいで配置されており、
前記第２液吸収性シートは、前記第３領域の近位部分及び遠位部分を区画する仮想直線をまたいで配置されている。
【００２５】
態様４に係る吸収性物品では、トップシートを透過した液状排泄物がトップシート及びバックシートの間を拡散しても、液吸収性シートで吸収されるので、液状排泄物が第２領域の遠位部分及び第３領域の遠位部分から滲み出しにくい。
【００２６】
態様１〜態様４のいずれかに係る吸収性物品の一態様（以下「態様５」という）において、前記トップシートは、複数のシート部材で形成されている。態様５に係る吸収性物品では、複数のシート部材が異なる機能を担うことができる。
【００２７】
態様１〜態様５のいずれかに係る吸収性物品の好ましい一態様（以下「態様６」という）において、前記液透過孔は、前記トップシートに形成された凹部であり、前記凹部を形成する内周面の一部は、前記トップシートを貫通するスリットによって、前記第１面から分断されている。態様６に係る吸収性物品では、吸収体に吸収された液状排泄物が、液透過孔を通じて見えにくいとともに、液透過孔を通じて滲み出しにくい。
【００２８】
態様６に係る吸収性物品の好ましい一態様（以下「態様７」という）において、前記スリットは、前記長さ方向に延在している。態様７に係る吸収性物品では、スリットが折り曲げ基点となり、第１ウイング部及び第２ウイング部を折り曲げやすい。
【００２９】
本発明の吸収性物品の種類及び用途は特に限定されるものではない。吸収性物品としては、例えば、生理用ナプキン、使い捨てオムツ、パンティーライナー等の衛生用品が挙げられ、これらはヒトを対象としてもよいし、ペット等のヒト以外の動物を対象としてもよい。本発明の吸収性物品が吸収対象とする液状排泄物としては、例えば、経血、下り物、尿、水様便等が挙げられる。以下、生理用ナプキンを例として、図面に基づいて、本発明の吸収性物品の実施形態を説明する。
【００３０】
＜第１実施形態＞
以下、図１〜図４に基づいて、本発明の吸収性物品の第１実施形態に係る生理用ナプキン１Ａを説明する。
【００３１】
以下、図１及び図２に基づいて、生理用ナプキン１Ａの構成を説明する。図１は、生理用ナプキン１Ａの平面図であり、図２は、図１のＡ−Ａ線断面図である。なお、図１では、トップシート２Ａに形成された液透過孔５の一部が、図２では、トップシート２Ａに形成された液透過孔５の全てが、図の簡略化の目的で省略されている。
【００３２】
生理用ナプキン１Ａは、互いに直交する長さ方向Ｘ、幅方向Ｙ及び厚さ方向Ｚを有する。なお、その他の図面に示される方向Ｘ、方向Ｙ及び方向Ｚは、それぞれ、図１及び図２に示される長さ方向Ｘ、幅方向Ｙ及び厚さ方向Ｚと一致する。
【００３３】
生理用ナプキン１Ａは、厚さ方向Ｚの一方側に位置する第１面Ｓ11と、厚さ方向Ｚの他方側に位置する第２面Ｓ12とを有する。第１面Ｓ11及び第２面Ｓ12は、生理用ナプキン１Ａの外面を形成している。
【００３４】
生理用ナプキン１Ａは、第１面Ｓ11を形成する液透過性のトップシート２Ａと、第２面Ｓ12を形成する液不透過性のバックシート３と、トップシート２Ａ及びバックシート３の間に配置された液吸収性の吸収体４と、トップシート２Ａに形成された複数の液透過孔５とを備える。
【００３５】
生理用ナプキン１Ａは、第１面Ｓ11が着用者の肌側に位置し、第２面Ｓ12が着用者の下着側に位置するように着用される。着用者から排泄された液状排泄物は、トップシート２Ａを通じて吸収体４に浸透し、吸収体４で吸収及び保持される。吸収体４に吸収及び保持される液状排泄物の漏れは、バックシート３によって防止される。なお、生理用ナプキン１Ａが吸収対象とする液状排泄物は、主として、経血である。
【００３６】
トップシート２Ａは、着用者から排泄された液状排泄物が透過し得る液透過性シートであり、トップシート２Ａに供給された液状排泄物を吸収体４に移行させる。本実施形態においてトップシート２Ａとして使用される液透過性シートは、複数の液透過孔５が形成された合成樹脂シートである。合成樹脂シートそれ自体は液透過性を有しないので、トップシート２Ａの液透過性は、合成樹脂シートに形成された複数の液透過孔５に基づく。合成樹脂シートを構成する合成樹脂としては、例えば、オレフィンと他のモノマー（例えば、アクリル酸エステル、酢酸ビニル等）との共重合体等が挙げられる。
【００３７】
トップシート２Ａは、厚さ方向Ｚの一方側に位置する第１面Ｓ21と、厚さ方向Ｚの他方側に位置する第２面Ｓ22とを有する。トップシート２Ａの第１面Ｓ21は、生理用ナプキン１Ａの第１面Ｓ11に相当する。トップシート２Ａは、厚さ方向Ｚにおいて吸収体４と重なる第１部分と、第１部分の幅方向Ｙの一方側に位置する第２部分と、第１部分の幅方向Ｙの他方側に位置する第３部分と、第２部分から幅方向Ｙの外側に延在する第４部分と、第３部分から幅方向Ｙの外側に延在する第５部分とを有する。トップシート２Ａの第１部分、第２部分、第３部分、第４部分及び第５部分は、それぞれ、生理用ナプキン１Ａの吸収体配置部１１、第１フラップ部１２ａ、第２フラップ部１２ｂ、第１ウイング部１３及び第２ウイング部１４を構成する。
【００３８】
トップシート２Ａの輪郭線は、バックシート３の輪郭線と略一致する。トップシート２Ａの周縁部は、バックシート３の周縁部と重ねられ、不図示のシール部によって接合されている。シール部は、生理用ナプキン１Ａの変形時におけるトップシート２Ａ及びバックシート３の離間を防止する。シール部による接合様式としては、例えば、ヒートエンボス処理による接合、ホットメルト型接着剤による接合等が挙げられる。
【００３９】
バックシート３は、着用者から排泄された液状排泄物が透過し得ない液不透過性シートであり、吸収体４に吸収及び保持された液状排泄物の漏れを防止する。バックシート３として使用される液不透過性シートは、例えば、防水処理を施した不織布、合成樹脂フィルム、不織布と合成樹脂フィルムとの複合シート等である。バックシート３の厚さ、坪量等は、液不透過性等を考慮して適宜調整される。バックシート３は、着用時のムレを低減させるために、液不透過性に加えて、通気性又は透湿性を有することが好ましい。
【００４０】
バックシート３は、厚さ方向Ｚの一方側に位置する第１面Ｓ31と、厚さ方向Ｚの他方側に位置する第２面Ｓ32とを有する。バックシート３の第２面Ｓ32は、生理用ナプキン１Ａの第２面Ｓ12に相当する。バックシート３は、厚さ方向Ｚにおいて吸収体４と重なる第１部分と、第１部分の幅方向Ｙの一方側に位置する第２部分、第１部分の幅方向Ｙの他方側に位置する第３部分、第２部分から幅方向Ｙの外側に延在する第４部分と、第３部分から幅方向Ｙの外側に延在する第５部分とを有する。バックシート３の第１部分、第２部分、第３部分、第４部分及び第５部分は、それぞれ、生理用ナプキン１Ａの吸収体配置部１１、第１フラップ部１２ａ、第２フラップ部１２ｂ、第１ウイング部１３及び第２ウイング部１４を構成する。
【００４１】
吸収体４は、着用者から排泄された液状排泄物を吸収し得る吸収性材料を含有し、トップシート２Ａを透過した液状排泄物を吸収及び保持する。吸収性材料としては、例えば、親水性繊維、高吸収性ポリマー等が挙げられる。親水性繊維としては、例えば、パルプ等のセルロース系繊維が挙げられる。
【００４２】
吸収体４は、例えば、吸収性材料層と、吸収性材料層を被覆するコアラップとから構成される。吸収性材料層は、単一の層であってもよいし、複数の層であってもよい。コアラップは、着用者から排泄された液状排泄物が透過し得る液透過性シートである。コアラップは、例えば、不織布、織布、液透過孔が形成された合成樹脂フィルム等である。
【００４３】
液透過孔５は、トップシート２Ａの略全体に形成されているが、第１ウイング部１３及び第２ウイング部１４の自由端部に形成されていない。但し、液透過孔５の形成位置は変更可能である。変更例としては、例えば、液透過孔５が、第１ウイング部１３及び／又は第２ウイング部１４の自由端部の少なくとも一部、好ましくは、自由端部のうち幅方向Ｙの外側の端部１３１，１４１に形成されていない実施形態等が挙げられる。
【００４４】
生理用ナプキン１Ａは、吸収体４が配置された吸収体配置部１１と、吸収体配置部１１の幅方向Ｙの一方側に位置する第１フラップ部１２ａと、吸収体配置部１１の幅方向Ｙの他方側に位置する第２フラップ部１２ｂと、第１フラップ部１２ａから幅方向Ｙの外側に延在する第１ウイング部１３と、第２フラップ部１２ｂから幅方向Ｙの外側に延在する第２ウイング部１４とを有する。
【００４５】
平面視において、吸収体配置部１１の輪郭線は、吸収体４の輪郭線と略一致する。第１フラップ部１２ａ及び第２フラップ１２ａは、吸収体配置部１１とともに本体部１０を形成する。本体部１０の幅方向Ｙの両端部１０１，１０２は、長さ方向Ｘに略直線状に延在している。第１ウイング部１３の基端部は、本体部１０の端部１０１の略中央部と連結しており、第２ウイング部１４の基端部は、本体部１０の端部１０２の略中央部と連結している。第１ウイング部１３及び第２ウイング部１４の周縁部のうち基端部以外の部分は、本体部１０と連結されていない自由端部である。したがって、第１ウイング部１３及び第２ウイング部１４は、基端部を軸として、本体部１０に対して折り曲げることが可能である。
【００４６】
生理用ナプキン１Ａは、生理用ナプキン１Ａの第２面Ｓ12のうち第１ウイング部１３の表面に相当する領域内に設けられた第１粘着部６１と、生理用ナプキン１Ａの第２面Ｓ12のうち第２ウイング部１４の表面に相当する領域内に設けられた第２粘着部６２と、生理用ナプキン１Ａの第２面Ｓ12のうち吸収体配置部１１の表面に相当する領域内に設けられた第３粘着部６３とを有する。但し、第１粘着部６１〜第３粘着部６３は省略可能である。
【００４７】
第１粘着部６１及び第２粘着部６２は、それぞれ、第１ウイング部１３及び第２ウイング部１４が下着のクロッチ部の非肌当接面側に折り返された際、折り返された第１ウイング部１３及び第２ウイング部１４を下着のクロッチ部の非肌当接面に固定する。第３粘着部６３は、吸収体配置部１１が下着のクロッチ部の肌当接面に設置された際、吸収体配置部１１を下着のクロッチ部の肌当接面に固定する。これにより、着用時の生理用ナプキン１Ａのズレが防止される。
【００４８】
第１粘着部６１〜第３粘着部６３は、生理用ナプキン１Ａの第２面Ｓ12（バックシート３の第２面Ｓ32）の所定領域に粘着剤を面状に塗工することによって形成された粘着剤層である。但し、生理用ナプキン１Ａの第２面Ｓ12の所定領域における粘着剤の塗工パターンは、面状に限定されるものではない。粘着剤は、第２面Ｓ12の所定領域の輪郭線上に連続又は不連続で存在していればよく、当該所定領域内には、粘着剤が存在しない部分が存在していてもよい。例えば、第１粘着部６１〜第３粘着部６３の１つ又は２つ以上は、長さ方向Ｘ又は幅方向Ｙに延在する複数条の粘着剤ラインによって形成されてもよい。粘着剤ラインの形状としては、例えば、直線状、スパイラル状、オメガ状等が挙げられる。
【００４９】
図５（Ａ）は、第１粘着部６１が長さ方向Ｘに延在する複数条の粘着剤ラインによって形成される一実施形態を示す平面図であり、図５（Ｂ）は、第１粘着部６１が幅方向Ｙに延在する複数条の粘着剤ラインによって形成される一実施形態を示す平面図である。なお、図５に基づく第１粘着部６１に関する説明は、第２粘着部６２及び第３粘着部６３にも適用される。
【００５０】
第１粘着部６１が長さ方向Ｘに延在する複数条の粘着剤ラインによって形成される場合（図５（Ａ））、幅方向Ｙの両端に位置する２つの粘着剤ラインＡＬ1，ＡＬ2と、長さ方向Ｘの一方側に位置する各粘着剤ラインの端点ＬＴ1を結ぶ直線と、長さ方向Ｘの他方側に位置する各粘着剤の端点ＬＴ2を結ぶ直線とによって、第１粘着部６１の輪郭線（粘着剤が塗工された領域の輪郭線）が画定される。なお、端点ＬＴ1が直線上にない場合、隣り合う２つの端点ＬＴ1を直線で結べばよい。端点ＬＴ2が直線上にない場合も同様である。
【００５１】
粘着剤が幅方向Ｙに延在する複数条のラインとして塗工される場合（図５（Ｂ））、長さ方向Ｘの両端に位置する２つの粘着剤ラインＢＬ1，ＢＬ2と、幅方向Ｙの一方側に位置する各粘着剤ラインの端点ＬＴ3を結ぶ直線と、幅方向Ｙの他方側に位置する各粘着剤の端点ＬＴ4を結ぶ直線とによって、第１粘着部６１の輪郭線（粘着剤が塗工された領域の輪郭線）が画定される。なお、端点ＬＴ3が直線上にない場合、隣り合う２つの端点ＬＴ3を直線で結べばよい。端点ＬＴ4が直線上にない場合も同様である。
【００５２】
生理用ナプキン１Ａは、トップシート２Ａのうち第１ウイング部１３を形成する部分及びバックシート３のうち第１ウイング部１３を形成する部分の間に配置された第１液吸収性シート７１と、トップシート２Ａのうち第２ウイング部１４を形成する部分及びバックシート３のうち第２ウイング部１４を形成する部分の間に配置された第２液吸収性シート７２とを有する。但し、液吸収性シート７１，７２は省略可能である。第１液吸収性シート７１は、後述する仮想直線ＶＬ7をまたいで配置されており、第２液吸収性シート７２は、後述する仮想直線ＶＬ8をまたいで配置されている。
【００５３】
生理用ナプキン１Ａは、トップシート２Ａ及び吸収体４を厚さ方向Ｚに一体化する圧搾部８を有する。但し、圧搾部８は省略可能である。圧搾部８は、ヒートエンボス処理により、生理用ナプキン１Ａの第１面Ｓ11の中央領域の周囲に形成された圧搾溝である。第１面Ｓ11の中央領域は、着用者の排泄口（例えば、小陰唇、大陰唇等）が当接し、着用者から排泄された液状排泄物が主として供給される領域である。
【００５４】
以下、図３に基づいて、トップシート２Ａに形成された液透過孔５の構成を説明する。図３（Ａ）は、トップシート２Ａに形成された液透過孔５の斜視図であり、図３（Ｂ）は、図３（Ａ）のＢ−Ｂ線断面図であり、図３（Ｃ）は、図３（Ａ）のＣ−Ｃ線断面図である。
【００５５】
液透過孔５は、生理用ナプキン１Ａの第１面Ｓ11に形成された開口部５０を有する。開口部５０は、平面視略矩形状であるが、開口部５０の形状は変更可能である。変更例としては、例えば、平面視略楕円形状等が挙げられる。
【００５６】
本実施形態において、開口部５０の開口面積は液透過孔５間で略一定であるが、開口部５０の開口面積は液透過孔５間で異なっていてもよい。１つの開口部５０の開口面積は、好ましくは０．１〜３．０ｍｍ2、さらに好ましくは０．３〜１．０ｍｍ2である。開口部５０の開口面積の測定は、次のように実施される。マイクロスコープ等で撮影した生理用ナプキン１Ａの第１面Ｓ11の画像を２値化することにより、生理用ナプキン１Ａの第１面Ｓ11の画像から対象とする開口部５０の領域を抽出し、抽出領域の面積を算出し、算出された面積を対象とする開口部５０の開口面積とする。このような測定には、例えば、キーエンス社製デジタルマイクロスコープ及び付属ソフトウェアを使用することができるが、画像データ保存の可能なその他の撮影機器及び画像処理ソフトウェアを使用してもよい。
【００５７】
本実施形態において、長さ方向Ｘに隣接する２つの開口部５０の間隔及び幅方向Ｙに隣接する２つの開口部５０の間隔は略一定であるが、長さ方向Ｘに隣接する２つの開口部５０の間隔及び／又は幅方向Ｙに隣接する２つの開口部５０の間隔は一定でなくてもよい。長さ方向Ｘに隣接する２つの開口部５０の間隔は、好ましくは０．１〜５．０ｍｍ、さらに好ましくは０．５〜２．０ｍｍである。幅方向Ｙに隣接する２つの開口部５０の間隔は、好ましくは０．２〜４．０ｍｍ、さらに好ましくは０．５〜１．５ｍｍである。長さ方向Ｘに隣接する２つの開口部５０の間隔は、一方の開口部５０の輪郭線上の点のうち他方の開口部５０に最も近い点を通って幅方向Ｙに延在する仮想直線と、他方の開口部５０の輪郭線上の点のうち一方の開口部５０に最も近い点を通って幅方向Ｙに延在する仮想直線との距離である。幅方向Ｙに隣接する２つの開口部５０の間隔は、一方の開口部５０の輪郭線上の点のうち他方の開口部５０に最も近い点を通って長さ方向Ｘに延在する仮想直線と、他方の開口部５０の輪郭線上の点のうち一方の開口部５０に最も近い点を通って長さ方向Ｘに延在する仮想直線との距離である。
【００５８】
液透過孔５は、トップシート２Ａに形成された凹部である。凹部を形成する内周面の一部は、トップシート２Ａを貫通するスリット５４によって、生理用ナプキン１Ａの第１面Ｓ11から分断されている。すなわち、液透過孔５は、略矩形状の底面５１と、底面５１の長さ方向Ｘの両端部及び生理用ナプキン１Ａの第１面Ｓ11を接続する側面５２，５３とを有する。しかしながら、底面５１の幅方向Ｙの両端部及び生理用ナプキン１Ａの第１面Ｓ11は、トップシート２Ａを貫通するスリット５４によって分断されているため、液透過孔５は、底面５１の幅方向Ｙの両端部及び生理用ナプキン１Ａの第１面Ｓ11を接続する側面を欠いている。したがって、開口部５０から凹部の内部に浸入した液状排泄物は、スリット５４を通じて凹部の外部へ移行することができる。
【００５９】
凹部の深さＤ（すなわち、開口部５０と底面５１との距離）は、トップシート２Ａの厚さＴよりも大きい。したがって、トップシート２Ａの第２面Ｓ22と底面５１との間には、凹部の内部及び外部を連通させる開口部が形成されている。但し、凹部の深さＤはトップシート２Ａの厚さＴ以下であってもよい。凹部の深さＤがトップシート２Ａの厚さＴ以下である実施形態では、着用者が生理用ナプキン１Ａを着用する際にトップシート２Ａが湾曲することにより、トップシート２Ａの第２面Ｓ22と底面５１との間には、凹部の内部及び外部を連通させる開口部が形成される。
【００６０】
液透過孔５の構造は、液透過性を保持可能な範囲において変更可能である。変更例としては、液透過孔５が、トップシート２Ａに形成された凹部であって、凹部を形成する周壁又は底壁に、トップシート２Ａを貫通する貫通孔が形成された凹部である実施形態が挙げられる。
【００６１】
液透過孔が形成された合成樹脂シートは、合成樹脂シートをギア延伸することによって製造することができる。ギア延伸は、例えば、図８に示される一対のギア延伸ロール１２０，１３０によって実施することができる。ギア延伸ロール１２０の外周面には、液透過孔に対応する位置に歯１２１が設けられており、歯が設けられていない部分は溝１２２となっている。歯１２１及び溝１２２は、ＭＤ方向（不図示）及びＣＤ方向（ＭＤ方向と垂直な方向）に交互に配置されて列をなしており、各列において、隣り合う２つの歯１２１の間には、１つの溝１２２が位置している。ギア延伸ロール１３０の外周面には、ギア延伸ロール１２０の溝１２２に対応する位置に歯１３１が設けられており、歯１３１が設けられていない部分は溝１３２となっている。歯１３１及び溝１３２は、ＭＤ方向及びＣＤ方向に交互に配置されて列をなしており、各列において、隣り合う２つの歯１３１の間には、１つの溝１３２が位置している。なお、ＭＤ方向は長さ方向Ｘに対応し、ＣＤ方向は幅方向Ｙに対応する。各歯は、底部から先端部に向って細くなる台形型であり、底部の幅Ｗ１及び先端部の幅Ｗ２は、液透過孔の形態に応じて適宜調整される。各歯の高さＨ、隣り合う２つの歯のピッチＰ等は、液透過孔の形態、配置等に応じて適宜調整される。一対のギア延伸ロール１２０，１３０は、歯１２１が溝１３２に入り込むとともに、歯１３１が溝１２２に入り込むことにより、互いに噛み合って回転するようになっている。合成樹脂シートは、ギア延伸ロール１２０，１３０の歯溝が噛み合う部分を通過することにより、凹凸賦形される。ギア延伸ロール１２０の歯１２１によって凸状に賦形される部分は、液透過孔に相当する。ギア延伸ロール１２０，１３０の歯溝が噛み合っている時の歯の間隔Ｃ、歯の噛み込み深さＤ、合成樹脂シートの加熱温度等を調整することにより、合成樹脂シートの凹凸賦形時に、合成樹脂シートを貫通するスリット又は貫通孔を形成することができる。合成樹脂シートの加熱は、ギア延伸ロール１２０，１３０の加熱により実施することができる。また、ギア延伸ロール１２０，１３０の歯１２１，１３１の先端部の角部に対して部分的に面取りを施さないことにより、合成樹脂シートの凹凸賦形時に、合成樹脂シートを貫通するスリット又は貫通孔を形成することができる。この場合、合成樹脂シートを貫通するスリット又は貫通孔は、面取りが施されていない角部によってギア延伸された部分には形成されるが、面取りが施された角部によってギア延伸された部分には形成されない。また、ギア延伸する前に予め合成樹脂シートに細かい傷（凹部）を形成しておくことにより、合成樹脂シートの賦形時に、合成樹脂シートを貫通するスリット又は貫通孔を形成することができる。合成樹脂シートへの細かい傷（凹部）の形成は、外周面に凸部が設けられたローレットロールと、平滑な表面を有する予熱ロールとを使用して実施することができる。予熱ロールは加熱されているため、合成樹脂シートは柔らかくなり、成形しやすくなる。合成樹脂シートが、ローレットロールと予熱ロールとの間を通過する時、合成樹脂シートには、ローレットロールの凸部によって細かい傷（凹部）が形成される。その後、合成樹脂シートがギア延伸されると、細かい傷（凹部）が形成された部分は破れ、破れた部分が広げられ、合成樹脂シートを貫通するスリット又は貫通孔が形成される。
【００６２】
以下、図４に基づいて、生理用ナプキン１Ａの第１面Ｓ11が有する第１領域Ｒ1〜第５領域Ｒ5を説明する。なお、図４では、トップシート２Ａに形成された液透過孔５の全てが、図の簡略化の目的で省略されている。
【００６３】
生理用ナプキン１Ａの第１面11は、第１領域Ｒ1〜第５領域Ｒ5を有する。第１領域Ｒ1〜第５領域Ｒ5はいずれも仮想領域であり、図４において、各領域を画定する線は仮想直線で示されている。図４に示される他の領域も同様である。
【００６４】
生理用ナプキン１Ａの第１面Ｓ11は、厚さ方向Ｚにおいて第１粘着部６１と重なる第１重なり領域Ｒ20を有する。平面視において、第１重なり領域Ｒ20の輪郭線は、第１粘着部６１の輪郭線と一致する。第１重なり領域Ｒ20の幅方向Ｙの両端部ＲＥ201，ＲＥ202は、長さ方向Ｘに直線状に延在しているが、両端部ＲＥ201，ＲＥ202は、その一方又は両方が長さ方向Ｘに曲線状に延在していてもよい。
【００６５】
生理用ナプキン１Ａの第１面Ｓ11は、厚さ方向Ｚにおいて第２粘着剤層６２と重なる第２重なり領域Ｒ30を有する。平面視において、第２重なり領域Ｒ30の輪郭線は、第２粘着部６２の輪郭線と一致する。第２重なり領域Ｒ30の幅方向Ｙの両端部ＲＥ301，ＲＥ302は、長さ方向Ｘに直線状に延在しているが、両端部ＲＥ301，ＲＥ302は、その一方又は両方が長さ方向Ｘに曲線状に延在していてもよい。
【００６６】
第１領域Ｒ1は、吸収体配置部１１の表面に相当する領域である。第１領域Ｒ1は、第１面11のうち厚さ方向Ｚにおいて吸収体４と重なる領域（すなわち、吸収体４を第１面Ｓ11に投影することによって形成される投影領域）として画定される。第１領域Ｒ1の幅方向Ｙの両端部ＲＥ11，ＲＥ12は、長さ方向Ｘに直線状に延在しているが、両端部ＲＥ11，ＲＥ12は、その一方又は両方が長さ方向Ｘに曲線状に延在していてもよい。
【００６７】
第２領域Ｒ2は、第１ウイング部１３の表面に相当する領域である。第２領域Ｒ2は、第１重なり領域Ｒ20の輪郭線上の点のうち最も第４領域Ｒ4側に位置する点を通って長さ方向Ｘに延在する仮想直線ＶＬ7によって区画される２つの部分：第４領域Ｒ4の近位に位置する近位部分Ｒ21；及び第４領域Ｒ4の遠位に位置する遠位部分Ｒ22を有する。本実施形態において、第１重なり領域Ｒ20の端部ＲＥ202は、仮想直線ＶＬ7と一致する。
【００６８】
第３領域Ｒ3は、第２ウイング部１４の表面に相当する領域である。第３領域Ｒ3は、第２重なり領域Ｒ30の輪郭線上の点のうち最も第５領域Ｒ5側に位置する点を通って長さ方向Ｘに延在する仮想直線ＶＬ8よって区画される２つの部分：第５領域Ｒ5の近位に位置する近位部分Ｒ31；及び第５領域Ｒ5の遠位に位置する遠位部分Ｒ32を有する。本実施形態において、第２重なり領域Ｒ30の端部ＲＥ302は、仮想直線ＶＬ8と一致する。
【００６９】
第４領域Ｒ4は、第１領域Ｒ1及び第２領域Ｒ2の間に位置する領域である。「第１領域Ｒ1及び第２領域Ｒ2の間に位置する領域」は、第１フラップ部１２ａの表面のうち、第１フラップ部１２ａの表面及び第１ウイング部１３の表面を区画する境界線ＢＬ1と、境界線ＢＬ1の一方の端点Ｐを通って幅方向Ｙに延在する仮想直線ＶＬ1と、境界線ＢＬ1の他方の端点Ｑを通って幅方向Ｙに延在する仮想直線ＶＬ2と、第１領域Ｒ1の輪郭線上の点のうち最も第２領域Ｒ2側に位置する点を通って長さ方向に延在する仮想直線ＶＬ3とによって囲まれた部分を意味する。本実施形態において、第１領域Ｒ1の端部ＲＥ11は、仮想直線ＶＬ3と一致する。
【００７０】
境界線ＢＬ1は、第１フラップ部１２ａを平坦に保持しつつ、第１ウイング部１３を折り曲げることが可能な折り曲げ線のうち、折り曲げられた第１ウイング部１３の表面積が最大化である折り曲げ線に相当し、この折り曲げ線と生理用ナプキン１Ａの輪郭線との交点が境界線ＢＬ1の両端点Ｐ，Ｑに相当する。
【００７１】
第５領域Ｒ5は、第１領域Ｒ1及び第３領域Ｒ3の間に位置する領域である。「第１領域Ｒ1及び第３領域Ｒ3の間に位置する領域」は、第２フラップ部１２ｂの表面のうち、第２フラップ部１２ｂの表面及び第２ウイング部１４の表面を区画する境界線ＢＬ2と、境界線ＢＬ2の一方の端点Ｒを通って幅方向Ｙに延在する仮想直線ＶＬ4と、境界線ＢＬ2の他方の端点Ｓを通って幅方向Ｙに延在する仮想直線ＶＬ5と、第１領域Ｒ1の輪郭線上の点のうち最も第３領域Ｒ3側に位置する点を通って長さ方向Ｘに延在する仮想直線ＶＬ6とによって囲まれた部分を意味する。本実施形態において、第１領域Ｒ1の端部ＲＥ12は、仮想直線ＶＬ6と一致する。
【００７２】
境界線ＢＬ2は、第２フラップ部１２ｂを平坦に保持しつつ、第２ウイング部１４を折り曲げることが可能な折り曲げ線のうち、折り曲げられた第２ウイング部１４の表面積が最大化である折り曲げ線に相当し、この折り曲げ線と生理用ナプキン１Ａの輪郭線との交点が境界線ＢＬ2の両端点Ｒ，Ｓに相当する。
【００７３】
第１領域Ｒ1〜第５領域Ｒ5には、液透過孔５の開口部５０が所定の開口率で形成されている。なお、ある領域の開口率（％）は、当該領域に形成された開口部５０の開口面積の総和／当該領域の面積×１００によって算出される。
【００７４】
第１領域Ｒ1、第４領域Ｒ4及び第５領域Ｒ5の開口率の上限は特に限定されるものではない。但し、第１領域Ｒ1、第４領域Ｒ4及び第５領域Ｒ5の開口率が大きすぎると、トップシート２Ａのうち本体部１０を形成する部分の強度が不十分になるおそれがある。したがって、第１領域Ｒ1、第４領域Ｒ4及び第５領域Ｒ5の開口率は、好ましくは３０％以下であり、さらに好ましくは２０％以下である。
【００７５】
第１領域Ｒ1、第４領域Ｒ4及び第５領域Ｒ5の開口率の下限は特に限定されるものではない。但し、第１領域Ｒ1、第４領域Ｒ4及び第５領域Ｒ5の開口率が小さすぎると、トップシート２Ａのうち本体部１０を形成する部分の液透過性が不十分になるおそれがある。したがって、第１領域Ｒ1、第４領域Ｒ4及び第５領域Ｒ5の開口率は、好ましくは３％以上であり、さらに好ましくは５％以上である。
【００７６】
第２領域Ｒ2の開口率及び第３領域Ｒ3の開口率は、所定の条件を満たす必要がある。すなわち、第２領域Ｒ2の開口率は、第４領域Ｒ4の開口率よりも小さい必要があり、第３領域Ｒ3の開口率は、第５領域Ｒ5の開口率よりも小さい必要がある。第２領域Ｒ2の開口率及び第３領域Ｒ3の開口率は、所定の条件を満たす範囲において適宜調整可能である。第２領域Ｒ2の開口率と第４領域Ｒ4の開口率との差（第４領域Ｒ4の開口率−第２領域Ｒ2の開口率）及び第３領域Ｒ3の開口率と第５領域Ｒ5の開口率との差（第５領域Ｒ5の開口率−第３領域Ｒ3の開口率）は、好ましくは１〜２０％、さらに好ましくは３〜１０％である。
【００７７】
第２領域Ｒ2〜第５領域Ｒ5の単位面積当たりの開口部５０の個数は、第２領域Ｒ2の開口率が、第４領域Ｒ4の開口率よりも小さく、第３領域Ｒ3の開口率が、第５領域Ｒ5の開口率よりも小さい範囲において適宜調整可能である。なお、ある領域の単位面積当たりの開口部５０の個数は、当該領域に存在する開口部５０の総数（個）／当該領域の総面積（ｃｍ2）によって算出される。
【００７８】
第２領域Ｒ2の単位面積当たりの開口部５０の個数は、第４領域Ｒ4の単位面積当たりの開口部５０の個数よりも少なく、第３領域Ｒ3の単位面積当たりの開口部５０の個数は、第５領域Ｒ5の単位面積当たりの開口部５０の個数よりも少ない。第２領域Ｒ2及び第３領域Ｒ3の単位面積当たりの開口部５０の個数は、好ましくは０〜１００個／ｃｍ2、さらに好ましくは０〜５０個／ｃｍ2であり、第４領域Ｒ4及び第５領域Ｒ5の単位面積当たりの開口部５０の個数は、好ましくは１０〜２００個／ｃｍ2、さらに好ましくは２０〜１００個／ｃｍ2である。
【００７９】
第２領域Ｒ2に存在する開口部５０は、第１重なり領域Ｒ20と第４領域Ｒ4との間に位置している。すなわち、第２領域Ｒ2に存在する開口部５０は、仮想直線ＶＬ7によって区画される第２領域Ｒ2の２つの領域のうち、近位部分Ｒ21には存在しているが、遠位部分Ｒ22には存在していない。なお、仮想直線ＶＬ7と交差する開口部５０は、近位部分Ｒ21に存在する開口部５０に該当しない。第２領域Ｒ2の近位部分Ｒ21における単位面積当たりの開口部５０の個数は、好ましくは１０〜２００個／ｃｍ2、さらに好ましくは２０〜１００個／ｃｍ2である。
【００８０】
第３領域Ｒ3に存在する開口部５０は、第２重なり領域Ｒ30と第５領域Ｒ5との間に位置している。すなわち、第３領域Ｒ3に存在する開口部５０は、仮想直線ＶＬ8よって区画される第３領域Ｒ3の２つの領域のうち、近位部分Ｒ31には存在しているが、遠位部分Ｒ32には存在していない。なお、仮想直線ＶＬ8と交差する開口部５０は、近位部分Ｒ31に存在する開口部５０に該当しない。第３領域Ｒ3の近位部分Ｒ31における単位面積当たりの開口部５０の個数は、好ましくは１０〜２００個／ｃｍ2、さらに好ましくは２０〜１００個／ｃｍ2である。
【００８１】
本実施形態において、第２領域Ｒ2の近位部分Ｒ21における単位面積当たりの開口部５０の個数は、第４領域Ｒ4の単位面積当たりの開口部５０の個数と略同一であり、第３領域Ｒ3の近位部分Ｒ31における単位面積当たりの開口部５０の個数は、第５領域Ｒ5の単位面積当たりの開口部５０の個数と略同一である。しかしながら、第２領域Ｒ2の遠位部分Ｒ22及び第３領域Ｒ3の遠位部分Ｒ32には開口部５０が存在していない。この結果、第２領域Ｒ2の単位面積当たりの開口部５０の個数は、第４領域Ｒ4の単位面積当たりの開口部５０の個数よりも少なく、第３領域Ｒ3の単位面積当たりの開口部５０の個数は、第５領域Ｒ5の単位面積当たりの開口部５０の個数よりも少ない。但し、第２領域Ｒ2の遠位部分Ｒ22及び第３領域Ｒ3の遠位部分Ｒ32における開口部５０の有無は変更可能である。変更例としては、例えば、第２領域Ｒ2の遠位部分Ｒ22にも開口部５０が存在しているが、第２領域Ｒ2の単位面積当たりの開口部５０の個数が、第４領域Ｒ4の単位面積当たりの開口部５０の個数よりも少ない実施形態、及び、第３領域Ｒ3の遠位部分Ｒ32にも開口部５０が存在しているが、第３領域Ｒ3の単位面積当たりの開口部５０の個数が、第５領域Ｒ5の単位面積当たりの開口部５０の個数よりも少ない実施形態が挙げられる。
【００８２】
本実施形態において、第２領域Ｒ2〜第５領域Ｒ5に存在する開口部５０の開口面積は略同一である。しかしながら、第２領域Ｒ2の単位面積当たりの開口部５０の個数は、第４領域Ｒ4の単位面積当たりの開口部５０の個数よりも少なく、第３領域Ｒ3の単位面積当たりの開口部５０の個数は、第５領域Ｒ5の単位面積当たりの開口部５０の個数よりも少ない。この結果、第２領域Ｒ2の開口率は、第４領域Ｒ4の開口率よりも小さく、第３領域Ｒ3の開口率は、第５領域Ｒ5の開口率よりも小さい。但し、第２領域Ｒ2〜第５領域Ｒ5の単位面積当たりの開口部５０の個数は変更可能である。変更例としては、例えば、第２領域Ｒ2の単位面積当たりの開口部５０の個数が、第４領域Ｒ2の単位面積当たりの開口部５０の個数と同一であるか又はそれよりも多いが、第２領域Ｒ2に存在する開口部５０の開口面積が、第４領域Ｒ4に存在する開口部５０の開口面積よりも小さい結果、第２領域Ｒ2の開口率が、第４領域Ｒ4の開口率よりも小さい実施形態、及び、第３領域Ｒ3の単位面積当たりの開口部５０の個数が、第５領域Ｒ5の単位面積当たりの開口部５０の個数と同一であるか又はそれよりも多いが、第３領域Ｒ3に存在する開口部５０の開口面積が、第５領域Ｒ5に存在する開口部５０の開口面積よりも小さい結果、第３領域Ｒ3の開口率が、第５領域Ｒ5の開口率よりも小さい実施形態が挙げられる。
【００８３】
生理用ナプキン１Ａは、以下の作用効果を発揮することができる。
生理用ナプキン１Ａが着用される際、吸収体配置部１１、第１フラップ部１２ａ及び第２フラップ部１２ｂによって形成される本体部１０は下着のクロッチ部の肌当接面に設置され、第１ウイング部１３及び第２ウイング部１４は下着のクロッチ部の非肌当接面側（肌当接面の反対側）に折り返される。このため、着用者から排泄された液状排泄物は、吸収体配置部１１の表面に相当する第１領域Ｒ1から、第１ウイング部１３の表面に相当する第２領域Ｒ2及び第２ウイング部１４の表面に相当する第３領域Ｒ3に向けて流れ出しやすい。第２領域Ｒ2に向けて流れ出した液状排泄物は、第１フラップ部１２ａの表面のうち第１領域Ｒ1及び第２領域Ｒ2の間に位置する部分に相当する第４領域Ｒ4を通り、第２領域Ｒ2に到達する。第３領域Ｒ3に向けて流れ出した液状排泄物は、第２フラップ部１２ｂの表面のうち第１領域Ｒ1及び第３領域Ｒ3の間に位置する部分に相当する第５領域Ｒ5を通り、第３領域Ｒ3に到達する。液状排泄物は、第４領域Ｒ4及び第５領域Ｒ5を通る際、第４領域Ｒ4及び第５領域Ｒ5に存在する液透過孔５の開口部５０で捕捉され、トップシート２Ａを透過する。第４領域Ｒ4及び第５領域Ｒ5で捕捉されず、第２領域Ｒ2及び第３領域Ｒ3に到達した液状排泄物は、第２領域Ｒ2及び第３領域Ｒ3に存在する液透過孔５の開口部５０で捕捉され、トップシート２Ａを透過する。したがって、生理用ナプキン１Ａは、第２領域Ｒ2及び第３領域Ｒ3に向けて流れ出した液状排泄物の、生理用ナプキン１Ａの外部へ漏出を防止することができる。
【００８４】
生理用ナプキン１Ａにおいて、第２領域Ｒ2及び第３領域Ｒ3に向けて流れ出した液状排泄物は、第２領域Ｒ2及び第３領域Ｒ3に到達する前に、第４領域Ｒ4及び第５領域Ｒ5に存在する液透過孔５の開口部５０で捕捉される。したがって、第２領域Ｒ2及び第３領域Ｒ3に到達する液状排泄物は、第４領域Ｒ4及び第５領域Ｒ5に到達する液状排泄物よりも少ない。このため、第２領域Ｒ2の開口率が第４領域Ｒ4の開口率よりも小さく、第３領域Ｒ3の開口率が第５領域Ｒ5の開口率よりも小さくても、生理用ナプキン１Ａは、液状排泄物の漏出防止効果を十分に発揮することができる。
【００８５】
トップシート２Ａを透過した液状排泄物は、トップシート２Ａ及びバックシート３の間を拡散し、第２領域Ｒ2及び第３領域Ｒ3から滲み出すおそれがある。第１ウイング部１３及び第２ウイング部１４が下着のクロッチ部の非肌当接面側に折り返されているとき、第２領域Ｒ2及び第３領域Ｒ3は着用者の衣服側に位置するため、第２領域Ｒ2及び第３領域Ｒ3から液状排泄物が滲み出すと、滲み出した液状排泄物によって着用者の衣服が汚れるおそれがある。この点、生理用ナプキン１Ａでは、第２領域Ｒ2の開口率が第４領域Ｒ4の開口率よりも小さく、第３領域Ｒ3の開口率が第５領域Ｒ5の開口率よりも小さいので、第２領域Ｒ2及び第３領域Ｒ3から滲み出した液状排泄物によって着用者の衣服が汚れにくい。
【００８６】
生理用ナプキン１Ａでは、第２領域Ｒ2の開口率が第４領域Ｒ4の開口率よりも小さく、第３領域Ｒ3の開口率が第５領域Ｒ5の開口率よりも小さいので、トップシート２Ａのうち第１ウイング部１３及び第２ウイング部１４を形成する部分の強度の低下、及び、これに起因する第１ウイング部１３及び第２ウイング部１４の下着への装着性の低下を防止することができる。
【００８７】
生理用ナプキン１Ａにおいて、液透過孔５は、第１ウイング部１３及び第２ウイング部１４の自由端部、特に、第１ウイング部１３及び第２ウイング部１４の自由端部のうち幅方向Ｙの外側の端部１３１，１４１に形成されていない。したがって、生理用ナプキン１Ａでは、トップシート２Ａを透過した液状排泄物がトップシート２Ａ及びバックシート３の間を拡散しても、第１ウイング部１３及び第２ウイング部１４の自由端部から液状排泄物が滲み出しにくい。また、液透過孔５が第１ウイング部１３及び第２ウイング部１４の自由端部に形成されていないので、所定の形状を保持した状態で、原反からトップシート２Ａを切り出しやすい。
【００８８】
生理用ナプキン１Ａにおいて、第１ウイング部１３及び第２ウイング部１４が下着のクロッチ部の非肌当接面側に折り返される際、仮想直線ＶＬ7及び仮想直線ＶＬ8が折り曲げ線となりやすい。第１ウイング部１３及び第２ウイング部１４が仮想直線ＶＬ7及び仮想直線ＶＬ8で折り返されると、第２領域Ｒ2の遠位部分Ｒ22及び第３領域Ｒ3の遠位部分Ｒ32が着用者の衣服側に位置するが、第２領域Ｒ2の遠位部分Ｒ22及び第３領域Ｒ3の遠位部分Ｒ32には液透過孔５の開口部５０が存在しない。したがって、トップシート２Ａを透過した液状排泄物がトップシート２Ａ及びバックシート３の間を拡散しても、第２領域Ｒ2の遠位部分Ｒ22及び第３領域Ｒ3の遠位部分Ｒ32から液状排泄物が滲み出しにくい。
【００８９】
生理用ナプキン１Ａにおいて、第２領域Ｒ2の遠位部分Ｒ22及び第３領域Ｒ3の遠位部分Ｒ32には液透過孔５の開口部５０が存在しないので、トップシート２Ａのうち第１ウイング部１３及び第２ウイング部１４を形成する部分の強度が十分なものとなる。したがって、第１ウイング部１３及び第２ウイング部１４が第１粘着部６１及び第２粘着部６２によって下着のクロッチ部の非肌当接面に固定されたとき、第１粘着部６１及び第２粘着部６２による生理用ナプキン１Ａのズレ防止効果が発揮されやすい。
【００９０】
生理用ナプキン１Ａでは、トップシート２Ａを透過した液状排泄物がトップシート２Ａ及びバックシート３の間を拡散しても、液吸収性シート７１，７２で吸収されるので、液状排泄物が第２領域Ｒ2の遠位部分Ｒ22及び第３領域Ｒ3の遠位部分Ｒ32から滲み出しにくい。
【００９１】
生理用ナプキン１Ａにおいて、液透過孔５は、トップシート２Ａに形成された凹部であり、該凹部を形成する内周面の一部は、トップシート２Ａを貫通するスリット５４によって、第１面Ｓ11から分断されている。したがって、生理用ナプキン１Ａでは、吸収体４に吸収された液状排泄物が、液透過孔５を通じて見えにくいとともに、液透過孔５を通じて滲み出しにくい。
【００９２】
生理用ナプキン１Ａにおいて、スリット５４は、長さ方向Ｘに延在している。したがって、生理用ナプキン１Ａでは、スリット５４が折り曲げ基点となり、第１ウイング部１３及び第２ウイング部１４を折り曲げやすい。
【００９３】
＜第２実施形態＞
以下、図６及び図７に基づいて、本発明の吸収性物品の第２実施形態に係る生理用ナプキン１Ｂを説明する。図６は、生理用ナプキン１Ｂの平面図であり、図７は、図６のＡ−Ａ線断面図である。
【００９４】
生理用ナプキン１Ｂは、トップシート２Ａの代わりにトップシート２Ｂが使用されている点を除き、生理用ナプキン１Ａと同一の構成を有する。なお、図６及び図７において、生理用ナプキン１Ｂが有する部分及び部材のうち、生理用ナプキン１Ａと同一であるものは、生理用ナプキン１Ａと同一の符号で表されており、必要がある場合を除き、その説明を省略する。
【００９５】
トップシート２Ｂは、複数のシート部材で構成されている点で、単一のシート部材で構成されているトップシート２Ａと異なる。
【００９６】
生理用ナプキン１Ｂの第１面Ｓ11は、長さ方向Ｘに延在する中央領域Ｓ111と、幅方向Ｙの一方側において中央領域Ｓ111に隣接する第１隣接領域Ｓ112と、幅方向Ｙの他方側において中央領域Ｓ111に隣接する第２隣接領域Ｓ113とを有する。
【００９７】
トップシート２Ｂは、中央領域Ｓ111を形成する第１シート部材２１Ｂと、第１隣接領域Ｓ112を形成する第２シート部材２２Ｂと、第２隣接領域Ｓ113を形成する第３シート部材２３Ｂとを有する。
【００９８】
第２シート部材２２Ｂ及び第３シート部材２３Ｂは、第１シート部材２１Ｂの幅方向Ｙの両側部分に重ねられて、不図示のシール部で接合されている。シール部による接合様式としては、例えば、ヒートエンボス処理による接合、ホットメルト型接着剤による接合等が挙げられる。
【００９９】
第１シート部材２１Ｂは、第２シート部材２２Ｂ及び第３シート部材２３Ｂから露出する表面Ｓ211を有する。なお、第１シート部材２１Ｂの表面の一部は第２シート部材２２Ｂ及び第３シート部材２３Ｂによって覆われ、外部に露出していない。第１シート部材２１Ｂの表面Ｓ211は、生理用ナプキン１Ｂの第１面Ｓ11の中央領域Ｓ111に相当する。
【０１００】
第２シート部材２２Ｂ及び第３シート部材２３Ｂは、それぞれ、全体が外部に露出する表面Ｓ212及び表面Ｓ213を有する。第２シート部材２２Ｂの表面Ｓ212は、生理用ナプキン１Ｂの第１面Ｓ11の第１隣接領域Ｓ112に相当し、第３シート部材２３Ｂの表面Ｓ213は、生理用ナプキン１Ｂの第１面Ｓ11の第２隣接領域Ｓ113に相当する。
【０１０１】
第１シート部材２１Ｂは、着用者から排泄された液状排泄物が透過し得る液透過性シートである。本実施形態において第１シート部材２１Ｂとして使用される液透過性シートは不織布である。不織布はそれ自体が液透過性を有するので、第１シート部材２１Ｂには液透過孔５は形成されていない。
【０１０２】
第２シート部材２２Ｂ及び第３シート部材２３Ｂは、着用者から排泄された液状排泄物が透過し得る液透過性シートである。本実施形態において第２シート部材２２Ｂ及び第３シート部材２３Ｂとして使用する液透過性シートは、複数の液透過孔５が形成された合成樹脂シートである。合成樹脂シートそれ自体は液透過性を有しないので、第２シート部材２２Ｂ及び第３シート部材２３Ｂの液透過性は、合成樹脂シートに形成された複数の液透過孔５に基づく。複数の液透過孔５が形成された合成樹脂に関する説明は、トップシート２Ａに関する説明と同様であるので、省略する。なお、図６において、第２シート部材２２Ｂに形成された液透過孔５の一部が、第３シート部材２３Ｂに形成された液透過孔５の全てが、図７において、第２シート部材２２Ｂ及び第３シート部材２３Ｂに形成された液透過孔５の全てが、図の簡略化の目的で省略されている。
【０１０３】
生理用ナプキン１Ｂは、生理用ナプキン１Ａと同様の作用効果を発揮することができる。
【符号の説明】
【０１０４】
１Ａ，１Ｂ    生理用ナプキン（吸収性物品の一例）
２Ａ，２Ｂ    トップシート
３    バックシート
４    吸収体
５    液透過孔
５０    液透過孔の開口部
１０    本体部
１１    吸収体配置部
１２ａ    第１フラップ部
１２ｂ    第２フラップ部
１３    第１ウイング部
１４    第２ウイング部
Ｘ    長さ方向
Ｙ    幅方向
Ｚ    厚さ方向
Ｓ11    生理用ナプキンの第１面
Ｓ12    生理用ナプキンの第２面
Ｒ1    吸収体配置部の表面に相当する第１領域
Ｒ2    第１ウイング部の表面に相当する第２領域
Ｒ3    第２ウイング部の表面に相当する第３領域
Ｒ4    第１フラップ部の表面のうち第１領域及び第２領域の間に位置する第４領域
Ｒ5    第２フラップ部の表面のうち第１領域及び第３領域の間に位置する第５領域
【図１】
0006395474.tif 000002
【図２】
0006395474.tif 000003
【図３】
0006395474.tif 000004
【図４】
0006395474.tif 000005
【図５】
0006395474.tif 000006
【図６】
0006395474.tif 000007
【図７】
0006395474.tif 000008
【図８】
0006395474.tif 000009